(57)【要約】      （修正有）【課題】吹出口付近の結露発生を抑制できる空気調和機を提供する。【解決手段】本発明の空気調和機1は、内部に冷凍サイクルの一部を構成する部品が収容され外郭を形成する筐体11と、筐体11に形成され空気調和中の空気を吹出す吹出口13の左右に設けられ、ルーバー14を支持するルーバー支持部35とを備え、ルーバー支持部35は、筐体11の内部から吹出口13を介して外部にいくに従い、吹出面積が狭まる形状を有している。ルーバー支持部35は、吹出口13の内方から外方にいくに従い、吹出面積が狭まる傾斜面を有していることが好ましい。【選択図】図１
2018159530.tif 000002
【特許請求の範囲】
【請求項１】
内部に冷凍サイクルの一部を構成する部品が収容され外郭を形成する筐体と、
前記筐体に形成され空気調和中の空気を吹出す吹出口の左右に設けられ、ルーバーを支持するルーバー支持部とを備え、
前記ルーバー支持部は、
前記筐体の内部から前記吹出口を介して外部にいくに従い、吹出面積が狭まる形状を有している
ことを特徴とする空気調和機。
【請求項２】
請求項１に記載の空気調和機において、
前記ルーバー支持部は、前記吹出口の内方から外方にいくに従い、吹出面積が狭まる傾斜面を有している
ことを特徴とする空気調和機。
【請求項３】
請求項１に記載の空気調和機において、
前記ルーバー支持部は、前記吹出口の内方から外方にいくに従い、吹出面積が狭まる傾斜面を有し、
前記傾斜面は、前記吹出口の内方から外方に向かう方向に対して、傾斜角度40度以上50度以下の範囲内の角度をもって形成されている
ことを特徴とする空気調和機。
【請求項４】
請求項１に記載の空気調和機において、
前記ルーバー支持部は、
前記筐体の内側にいくに従い幅が狭まるカット部を有している
ことを特徴とする空気調和機。
【請求項５】
請求項１に記載の空気調和機において、
前記吹出口の近くに別の吹出口を有している
ことを特徴とする空気調和機。
【請求項６】
請求項１に記載の空気調和機において、
前記ルーバーは、前記吹出口の左右方向寸法よりも長い1枚の板金で構成されている
ことを特徴とする空気調和機。
【請求項７】
請求項１に記載の空気調和機において、
前記ルーバー支持部は、前記ルーバーの回転軸が支持される凹部を有する弾性的性質をもつルーバー把持部を備え、
前記ルーバーは、その回転軸を前記凹部に嵌め込んだ状態で取り付けられている
ことを特徴とする空気調和機。
【請求項８】
請求項１に記載の空気調和機において、
前記ルーバー支持部は、板金を折り返して形成されている
ことを特徴とする空気調和機。
【請求項９】
請求項１に記載の空気調和機において、
前記ルーバー支持部は、
板金を折り返して形成され、前記ルーバーの回転軸が支持される凹部を有する弾性的性質をもつルーバー把持部を備え、
前記ルーバー把持部が、その弾性を用いて前記板金に取り付けられている
ことを特徴とする空気調和機。
【請求項１０】
内部に冷凍サイクルの一部を構成する部品が収容され外郭を形成する筐体と、
前記筐体に形成され空気調和中の空気を吹出す吹出口の左右に設けられ、ルーバーを支持するルーバー支持部とを備え、
前記ルーバー支持部は、
前記筐体の内側にいくに従い幅が狭まるカット部を有している
ことを特徴とする空気調和機。
【発明の詳細な説明】
【技術分野】
【０００１】
本発明は、空気調和機に関する。
【背景技術】
【０００２】
従来の空気調和機の室内機は、下記の構成となっている。
室内機の内部に冷凍サイクルの一部を構成する部品が収容されたキャビネット（筐体）が外郭を形成している。そして、キャビネット前方に空気調和中の空気が吹出される吹出口、吹出口左右両端には機内側に板金が折返されルーバー（導風板）を取り付ける穴を有するルーバー支持体を取付けたステーが位置する（特許文献1参照）。
【先行技術文献】
【特許文献】
【０００３】
【特許文献１】特許第3066336号公報
【発明の概要】
【発明が解決しようとする課題】
【０００４】
図8は、従来のルーバー114の取付け部近傍を上方から下方に見た図である。
従来の空気調和機101では、ルーバー114の取付けのために、吹出口113の左右両端にルーバー114の軸114ｊを支持する板金垂直折曲げ部135を有している。板金垂直折曲げ部135は筐体111の前カバー101ｍを垂直に曲げて形成される。
【０００５】
そのため、例えば、冷房運転時、板金垂直折曲げ部135により、室内の空気が前カバー101ｍに沿って機内に入り込む（図8の矢印β11）場合がある。なお、図8の矢印α91は空気調和中の空気の流れを示す。そのため、吹出口113近傍の風の流れが室内の空気の流れ（図8の矢印β11）と、空気調和中の空気の流れ（図8の矢印α91）とが錯綜して、空気の流れが乱れる。結果として、冷房中に、室内の湿気を含む温かい空気が機内に入り込む（図8の矢印β11）。そして、機内に入り込んだ空気は低温となり露点に達し、吹出口113近くの前カバー101ｍに結露が生じる場合がある。
【０００６】
本発明は上記実状に鑑み創案されたものであり、吹出口付近の結露発生を抑制できる空気調和機の提供を目的とする。
【課題を解決するための手段】
【０００７】
前記課題を解決するため、本発明の空気調和機は、内部に冷凍サイクルの一部を構成する部品が収容され外郭を形成する筐体と、前記筐体に形成され空気調和中の空気を吹出す吹出口の左右に設けられ、ルーバーを支持するルーバー支持部とを備え、前記ルーバー支持部は、前記筐体の内部から前記吹出口を介して外部にいくに従い、吹出面積が狭まる形状を有している。
【発明の効果】
【０００８】
本発明によれば、吹出口付近の結露発生を抑制できる空気調和機を提供できる。
【図面の簡単な説明】
【０００９】
【図１】実施形態に係る空気調和機の斜視図。
【図２】実施形態に係る空気調和機の使用形態を示す右側面から見た側面視の図1のI-I断面図。
【図３】実施形態に係る空気調和機の要部を前下方から見た斜視図。
【図４】筐体の内部を上方から下方に見た図。
【図５】図3に示す板金折返し部、ルーバー支持体の近傍を斜め上から見た斜視拡大図。
【図６】図２の吹出口付近の拡大図。
【図７】空気調和機の別の吹出口にスポットダクトを取付けた状態を示す図。
【図８】従来のルーバー取付け部近傍を上方から下方に見た図。
【発明を実施するための形態】
【００１０】
以下、本発明の実施形態に係る空気調和機1について図面を参照して説明する。
図1は、実施形態に係る空気調和機1の斜視図である。なお、図1に示す使用形態は一例であって、本使用形態に限定されない。
実施形態の空気調和機1は、例えば業務用の天吊型の空気調和機である。なお、本発明は、天吊型以外の空気調和機1にも適用できる。
【００１１】
空気調和機1は、冷凍サイクルの一部を構成する部品、例えば熱交換器21（図2参照）等を収容する筐体11を備えて構成されている。筺体11は、空気調和機1の外郭を形成する。なお、冷凍サイクルの一部を構成する部品としては、熱交換器21に限定されず、減圧弁（電子膨張弁）などのその他の部品を含んでいてもよい。
【００１２】
空気調和機1は、天吊型の室内機であり、天井躯体（不図示）に吊りボルト12を介して吊り下げられて使用される。
天吊型の空気調和機1は、利用者の生活空間内や店舗等に設置され、筐体11の前方に位置する吹出口13から、熱交換器21で熱交換された空気が生活空間へ送り込まれる（図1の矢印α12）。
【００１３】
図2は、実施形態に係る空気調和機1の使用形態を示す右側面から見た側面視の図1のI-I断面図である。なお、図2における白抜き矢印α11、α12は、空気の流れを示す。図2に示す使用形態は、一例であって、本形態に限定されない。
【００１４】
熱交換器21は、側面視で長方形状を呈している。
空気調和機1の筺体11の内部には、熱交換器21、送風ファン22、ドレンパン23が収容されている。
そして、筺体11の下部奥側には、空気調和するために、室内の空気を取り入れる吸込口24が形成されている。
【００１５】
筺体1の前部には、前カバー11mが筺体1を形成している。前カバー11mには、空気調和中の空気を室内Ｒに吹出す吹出口13が形成されている。吹出口13は空気調和中の空気を室内Ｒに吹出す空間である開口ｋを形成する。
【００１６】
吹出口13には、吹出す空気の向きを変えるルーバー14が回転自在に設けられている。ルーバー14は吹出口13の左右方向寸法ｓ１（図1参照）よりも長い1枚の板金で断面くの字状（図6参照）に構成されている。ルーバー14が1枚の板金で断面くの字状に構成されるため、ルーバー14の製造が容易で、生産コストが低減される。
【００１７】
図2に示すように、空気調和機1は、送風ファン22によって、吸込口24から室内Ｒの空気が取り込まれ（白抜き矢印α１１）、熱交換器21に送り込まれる。熱交換器21に送られた空気は、熱交換器21によって熱交換され、吹出口13から室内Ｒに送風される（白抜き矢印α12）。
【００１８】
熱交換器21は、例えば、クロスフィンチューブ型の熱交換器である。熱交換器21は、例えば、アルミニウムまたはアルミニウム合金製のフィンを複数枚並べてなるフィンプレート25と、フィンプレート25を貫通して配置される銅製または銅合金製の冷媒配管26とを備えて構成されている。
【００１９】
送風ファン22は、熱交換器21のフィンプレート25間に、吸込口24から取り込んだ空気を流す。
送風ファン22は、例えばシロッコファンを用いて構成されている。そのため、送風ファン22は、取り込まれた空気を熱交換器21に吹き付ける向きとなるように筺体11内に配置されている。
【００２０】
冷房運転時、熱交換器21を通る空気が冷却され、露点以下となり空気中から水滴が分離される。この水滴がドレン水として熱交換器21からドレンパン23に向けて滴下する。
ドレンパン23は、例えば板金製であり、熱交換器21から発生したドレン水（凝縮水）を受ける皿形状を有している。そこで、ドレンパン23は、熱交換器21に結露した水滴を受けるため、熱交換器21の下方に配置されている。
【００２１】
＜吹出口13の左右の板金折返し部35＞
次に、吹出口13の左右両端部近傍に設けられる板金折返し部（ルーバー支持部）35およびルーバー支持体（ルーバー把持部）36について説明する。
図3は、実施形態に係る空気調和機1の要部を前下方から見た斜視図である。図3は、図1に示すルーバー14を取外した状態を示す。
図4は、筐体11の内部を上方から下方に見た図である。図5は、図3に示す板金折返し部35、ルーバー支持体36の近傍を斜め上から見た斜視拡大図である。図6は、図2の吹出口13付近の拡大図である。
【００２２】
図4、図5に示すように、前カバー11mに形成される吹出口13の左右両端付近には、前カバー11mから奥側に3回折り曲げられた形状の板金折返し部35が形成されている。板金折返し部35は、筐体11の内部から吹出口13に向かって開口kの面積が狭まる形状（吹出口13に近い方が開口kの面積が狭まる形状）を有している。
また、図5、図6に示すように、板金折返し部35は、筐体11の内側にいくに従い幅が狭まるようにカット部51を有している。なお、図6の二点鎖線はカット部51を境に略三角形状に切り取られた被カット部51cを示す。板金折返し部35は、板金を折り返して形成されるので、製造が容易である。
【００２３】
図4、図5に示すように、板金折返し部35は、前カバー11mから先端に向かって第１曲げ部35ａ、第２曲げ部35ｂ、第３曲げ部35ｃをもつ曲げ形状を有している。そして、図6に示すように、板金折返し部35は、側境界部35f、35fを有して先が細くなる形状に形成されている。
図4に示す上方視で、吹出口13の左右端部には、前カバー11mから第１曲げ部35ａで折り曲げられた直角曲げ部41がある。直角曲げ部41の先端に第２曲げ部35ｂにより外側に鋭角度曲げて筐体11内から吹出口13方向へ向かって開口kの面積（吹出面積）が狭まる形状の鋭角曲げ部42が形成されている。さらに、鋭角曲げ部42の先端に第３曲げ部35ｃにより前カバー11mに対して直角に曲げられた直角曲げ部43が形成されている。
【００２４】
本構成により、空気調和中の空気は板金折返し部35の鋭角曲げ部42に沿って滑らかに流れ（図4の矢印α21）、背景技術と異なり、室内Rの空気が機内に入り込まない。そのため、空気調和中の空気の流れが乱れることが抑制される。
【００２５】
なお、鋭角曲げ部42の傾斜角度θは例えば略45°の曲げ角度とする。ただし、鋭角曲げ部42の傾斜角度θは、略45°以外の鋭角を選択してもよい。しかし、略45°とすれば、空気調和中の空気が乱れることが抑制されるとともに、既存の金型を利用できるので、生産コストが安価で済み、好適である。なお、略45°とは、例えば、40°以上50°以下の範囲内の角度である。
【００２６】
＜板金折返し部35の弾性体把持部（43、43u、43u1、43s、43s1）＞
板金折返し部35の先端には、ルーバー14の軸14ｊを嵌合する、穴（36a1）と穴の一部が開放された形状（36a2）を有するルーバー支持体36が取り付けられる。具体的には、直角曲げ部43から弾性体把持部（43a、43u、43u1、43ｓ、43ｓ1）（図4、図6参照）が折り曲げられルーバー支持体36を保持するように形成されている。つまり、直角曲げ部43を含む弾性体把持部（43、43u、43u1、43ｓ、43s1）はルーバー支持体36が取り付けできるように構成されている。ルーバー支持体36は、空気調和機1の左右両側に設けられ、ルーバー14の軸14jを回動自在に支持する。
【００２７】
図4、図5に示すように、直角曲げ部43に連続して上側に上弾性体把持部43uが形成されている。そして、図6に示すように、上弾性体把持部43uに続いて上弾性体被係合部43u1が形成されている。一方、図3に示すように、直角曲げ部43に連続して下側に下弾性体把持部43ｓが形成されている。
【００２８】
そして、図6に示すように、下弾性体把持部43ｓに続いて下弾性体被係合部43ｓ1が形成されている。
左右の直角曲げ部43に形成される弾性体把持部（43u、43u1、43s、43s1）（直角曲げ部43を含む）には、ルーバー14の軸14jを左右で回動自在に支持するルーバー支持体36がそれぞれ固定されている。
【００２９】
＜ルーバー支持体36とルーバー14＞
ルーバー支持体36は弾性的性質をもつゴムなどで形成されている。
図6に示すように、ルーバー支持体36の一方には、軸支持凹部36a1と軸装填切り欠き部36a2とが形成されている。
軸支持凹部36a1は、ルーバー14の軸14jを支持する略円形状の凹部である。軸装填切り欠き部36a2は、ルーバー14の軸14jの径より狭い入口寸法をもつ一方が開口され軸支持凹部36a1に続く切り欠き部である。
【００３０】
図3に示すように、軸支持凹部36a1と軸装填切り欠き部36a2は、ルーバー14の軸14jが挿入し易いように、また、軸14jの回転時の摩擦力を低減するため、分割された形状に形成されている。
【００３１】
図2、図3に示すように、ルーバー支持体36の他方には、ルーバー支持体36を弾性体把持部（43、43u、43u1、43ｓ、43ｓ1）に係合固定するために外方に突出した凸形状の係合凸部36bが形成されている。
ルーバー支持体36の軸支持凹部36a1と係合凸部36bとの間には、本体部36cが形成されている。
【００３２】
ルーバー支持体36を弾性体把持部（43、43u、43u1、43s、43s1）に取り付けるに際しては、ルーバー支持体36を、図6の矢印β1のように移動させて、係合凸部36bを内側に弾性変形で移動させることで、係合凸部36bが、上弾性体把持部43u、上弾性体被係合部43u1と下弾性体把持部43ｓ、下弾性体被係合部43s1に係合される。これにより、ルーバー支持体36が弾性体把持部（43、43u、43u1、43s、43s1）に固定される。
【００３３】
なお、図6に示すように、本体部36cに、ルーバー支持体36を弾性体把持部（43、43u、43u1、43s、43s1）の内部に、押し入れる際にストッパ36c1となる段差を設けるとよい。つまり、ストッパ36c1を境に、軸支持凹部36a1側の肉厚を厚く、係合凸部36b側の肉厚を薄く形成してもよい。
【００３４】
そして、吹出口13の左右に取り付けられたルーバー支持体36の軸装填切り欠き部36a2にルーバー14の軸14jが押し込まれ、左右のルーバー支持体36の軸支持凹部36a1にルーバー14の軸14jが回動自在に支持される。
ルーバー14を取り外す際には、左右のルーバー支持体36の軸支持凹部36a1で支持されたルーバー14の軸14jを、ルーバー支持体36の軸装填切り欠き部36a2を通して引き抜くことで、取り外すことができる。
【００３５】
以上により、ルーバー14のワンタッチ着脱構造が構成される。従って、ルーバー14の取り付け、取り外しが容易である。また、ルーバー支持体36が、弾性的性質を有し、その弾性力を用いて板金折返し部35の弾性体把持部（43、43u、43u1、43s、43s1）に取り付けられるので組立てが容易である。
【００３６】
＜熱交換後の空気の吹出口13からの吹出し＞
図4に示すように、板金折返し部35に筐体11の内部から吹出口13の外方向へ（空気調和機1の内部から外方へ）向かって開口kの面積が狭まる形状の鋭角曲げ部42を設けたことにより、吹出口13から室内Rに送り出される熱交換された空気は鋭角曲げ部42を伝って円滑に流れる（図4のα21）。従って、熱交換後の空気が、従来（図8参照）に比較し、筐体11側面方向（筐体11の左右方向）へ滞りなく広がり易くなる。そのため、熱交換された後の空気と室内空気とを巻込み混流し難くできる構成である。
【００３７】
室内空気を機内に巻込み（図8の矢印β11）難くすることにより、前カバー11mの機内側への室内空気の流れを抑制できる。そのため、吹出口13近傍への結露発生を抑制できる。
なお、図4に示す筐体11の内部から吹出口13にいくに従い開口kの面積が狭まる形状の板金折返し部35に設けた鋭角曲げ部42は、一例であって、本実施形態で例示した鋭角曲げ部42（図4参照）に限定されない。鋭角曲げ部42は、例えば曲線状に曲率をもって曲げられていたり、複数段の小さな曲げにより階段状に構成されてもよい。つまり、筐体11の内部から吹出口13にいくに従い開口ｋの面積が狭まる形状であれば、その形状は任意に選択できる。
【００３８】
また、図6に示すように、板金折返し部35には、筐体11の内側にいくに従い幅が狭まるカット部51を有している。これにより、図6の矢印α13に示すような空気調和中の空気の流れを作ることができる。従って、吹出口13の左右両端のよりも外側方（左右の外側方）の筐体11の内部に滞留する空気を、図6の矢印α13に示す空気の流れで減少させることができる。そのため、より吹出口13へ空気を流すことができる。つまり、吹出口13から吹き出す空気量を増やすことができる。
【００３９】
図7に空気調和機1の別の吹出口33にスポットダクトSdを取付けた状態を示す。
空気調和機1が厨房用に特化している場合、図7に示すように、吹出口13の左右両端よりも外側方の筐体11に別の吹出口33が形成されている。別の吹出口33にスポットダクトSdを取り付け、スポットダクトSdにより所望の場所に空気調和中の空気を導く。
【００４０】
この場合、別の吹出口33にスポットダクトSdを取付けるための空間Pが吹出口13の左右外側方の内部に形成される。そのため、吹出口13の左右両端よりも外側方（左右方向）の筐体11がより大きくなる傾向がある。これにより、空気調和中の空気が左右の筐体11内部により滞留し易くなる。従って、図6に示すように、板金折返し部35に幅が狭まるカット部51を有することで、吹出口13左右両端よりも外側方の筐体11内部にある空気がより吹出口13から出易くなる（図6の矢印α１３）。
【００４１】
上記構成によれば、ルーバー14のワンタッチ着脱構造を損なうことなく、また専用の導風板を使うことなく吹出口13付近の結露の発生を抑制できる空気調和機1を提供できる。
【００４２】
＜＜その他の実施形態＞＞
1．前記実施形態では、ルーバー支持部を板金折返し部35で構成した場合を挙げて説明したが、強度、寿命、耐候性などの所定の条件を満たせば、ルーバー支持部は、エンジニアリングプラスチック、スーパーエンジニアリングプラスチックや、炭素繊維入り樹脂などの板金以外の材料で構成してもよい。
【００４３】
2．なお、前記実施形態等は、特許請求の範囲に記載した本発明の一例を記載したものであり、特許請求の範囲に記載した範囲内で様々な変形形態、具体的形態が可能である。
【符号の説明】
【００４４】
1空気調和機
11      筐体
13    吹出口
14    ルーバー
14j    回転軸
33    別の吹出口
35    板金折返し部（ルーバー支持部）
36    ルーバー支持体（ルーバー把持部）
36ａ1  軸支持凹部（凹部）
42    鋭角曲げ部（外方が狭まる傾斜面）
51    カット部
s1    左右方向寸法
【図１】
2018159530.tif 000003
【図２】
2018159530.tif 000004
【図３】
2018159530.tif 000005
【図４】
2018159530.tif 000006
【図５】
2018159530.tif 000007
【図６】
2018159530.tif 000008
【図７】
2018159530.tif 000009
【図８】
2018159530.tif 000010